(57)【要約】      （修正有）【課題】高齢者向けの戸外活動応援通信設備のマイレージ端末装置を提供する。【解決手段】管理センタ２のマイレージデータベース３及び健康管理データベース４並びに各厚生施設Ａのマイレージ端末機ａ及び各マイレージポイント協賛店Ｂのマイレージ端末機ｂが、通信回線１を介して接続されているマイレージを利用した戸外活動支援通信設備のマイレージ端末機において、前記マイレージ端末機ａ，ｂは、前記通信回線１に接続されているパーソナルコンピュータ並びにこのパーソナルコンピュータに接続されているマイレージカード読取器及び／又は生体認証装置及び／又はタッチパネルにより構成する。【選択図】図１
0003151065.tif 000002
【実用新案登録請求の範囲】
【請求項１】
管理センタ（２）のマイレージデータベース（３）及び健康管理データベース（４）並びに各厚生施設（Ａ）のマイレージ端末機（ａ）及び各マイレージポイント協賛店（Ｂ）のマイレージ端末機（ｂ）が、通信回線（１）を介して接続されているマイレージを利用した戸外活動支援通信設備のマイレージ端末機において、
本人登録してあるマイレージカードが、希望の戸外活動を提供する前記厚生施設（Ａ）及び／又は前記マイレージポイント協賛店（Ｂ）のその戸外活動に固有の前記マイレージ端末機に差し込まれると、このマイレージ端末機が、このマイレージカードの差込み日時、すなわち利用者の戸外活動の開始日時を記録し、
前記マイレージカードが、前記マイレージ端末機に再び差し込まれると、このマイレージ端末機が、このマイレージカードの差込み日時、すなわち利用者の戸外活動の終了日時を記録し、
前記マイレージ端末機が、前記開始日時と前記終了日時とから算出された利用者の戸外活動期間に相当するポイント数を前記通信回線（１）を介して前記管理センタ（２）の前記マイレージデータベース（３）及び前記健康管理データベース（４）に送信し、
前記マイレージデータベース（３）及び健康管理データベース（４）は、前記ポイント数をマイレージポイント還元センタのデータベース（５）に送信し、
前記マイレージポイント還元センタのデータベース（５）は、前記ポイント数を記憶管理し、前記マイレージカードが、前記マイレージ端末機に後に差し込まれた時に、前記ポイント数が、前記通信回線（１）を介してこのマイレージカード及び／又はこのマイレージ端末機に表示され記録されることによって利用者に通知され還元され、物品等の購入ごとに、その後の残りのポイント数が、前記マイレージ端末機によって記憶管理され、
この残りのポイント数は、前記マイレージ端末機から前記通信回線（１）を介して前記マイレージポイント還元センタのデータベース（５）に送信され、その結果が、前記マイレージポイント還元センタのデータベース（５）で記憶管理されることを特徴とする戸外活動応援通信設備のマイレージ端末機。
【請求項２】
前記管理センタ（２）は、利用者のマイレージカードに関するデータを記憶管理する前記マイレージデータベース（３）及び利用者の基本情報を記憶管理する前記健康管理データベース（４）を有することを特徴とする請求項１に記載の戸外活動応援通信設備のマイレージ端末機。
【請求項３】
前記ポイント数及び／又は残りのポイント数は、所定の期間の経過後に前記マイレージ端末機（ａ, ｂ）に送信されることを特徴とする請求項１又は２に記載の戸外活動応援通信設備のマイレージ端末機。
【請求項４】
前記ポイント数は、招待券及び／又は優待券及び／又は割引券と交換できることを特徴とする請求項１〜３のいずれか１項に記載の戸外活動応援通信設備のマイレージ端末機。
【請求項５】
前記マイレージ端末機（ａ，ｂ）は、前記通信回線（１）に接続されているパーソナルコンピュータ（６）並びにこのパーソナルコンピュータ（６）に接続されているマイレージカード読取器（７）及び／又は生体認証装置（８）及び／又はタッチパネル（９）から構成されることを特徴とする請求項１〜４のいずれか１項に記載の戸外活動応援通信設備のマイレージ端末機。
【考案の詳細な説明】
【技術分野】
【０００１】
本考案は、マイレージを利用した特に高齢者向けの戸外活動応援通信設備のマイレージ端末装置に関する。
【背景技術】
【０００２】
人口の高齢化に伴い、独り暮し世帯、老夫婦世帯及び寝たきりや認知症の高齢者の急増、介護期間の長期化及び介護給付者の増高並びに介護する家族の高齢化といった問題が今後予測される。このような問題に対処するため、介護支援に関する多くの措置が公知である。例えば、本出願人による介護システム（特許第３２９９２１３号）が公知である。この考案の介護システムによれば、非常に多数の被介護者の在宅介護サービスの実施状況を確実に、しかも簡単に確認して監視できる。
【０００３】
一方で、このような介護支援の施策との連携を図りながら総合的に介護を支援することが提唱されている。
【先行技術文献】
【特許文献】
【０００４】
【特許文献１】特許第３２９９２１３号公報
【考案の概要】
【考案が解決しようとする課題】
【０００５】
本考案の課題は、高齢者の健康の維持、生きがい、社会参加及びコミュニケーションを推進する特に高齢者向けの戸外活動応援通信設備のマイレージ端末装置を提供して、上述した問題を軽減することにある。
【課題を解決するための手段】
【０００６】
この課題は、請求項１に記載の戸外活動応援通信設備のマイレージ端末装置によって解決される。
【考案の効果】
【０００７】
本考案の戸外活動応援通信設備のマイレージ端末装置は、以下の有利な効果を奏する：
・高齢者の閉じこもり及び寝たきりを防止する。
・高齢者に生き甲斐を持たせる機会を与える。
・高齢者の自己啓発を支援する。
【０００８】
以上により、高齢者の健康の維持及び増進を促進し、ひいては上述した介護システム等の措置の負担を軽減することができる。
【図面の簡単な説明】
【０００９】
【図１】本考案のマイレージ端末装置を用いた戸外活動支援通信設備を示す。
【図２】各厚生施設及び／又はマイレージポイント協賛店に固有の本考案のマイレージ端末機の構成の一例を示す。
【考案を実施するための最良の形態】
【００１０】
以下に、本考案を考案の実施の形態に基づいて詳しく説明する。
【００１１】
図１は、本考案のマイレージ端末装置を用いた戸外活動支援通信設備を示す。この戸外活動支援通信設備の場合、管理センタ２のマイレージデータベース３及び健康管理データベース４並びに各厚生施設Ａのマイレージ端末機ａ及び各マイレージポイント協賛店Ｂのマイレージ端末機ｂが、通信回線（インターネット）１を介して接続されている。さらにマイレージポイント還元センタのデータベース５が、管理センタ２のマイレージデータベース３及び健康管理データベース４に接続されている。
【００１２】
通信回線１は、ＡＤＳＬや光ファイバ等のブロードバンドに対応したインターネットである。また、この戸外活動支援通信設備専用の通信回線を敷設してもよい。
【００１３】
管理センタ２は、例えば保健センタ，在宅介護支援センタや東京都国保連合会が該当する。この管理センタ２内には、マイレージデータベース３及び健康管理データベース４が設けられている。マイレージデータベース３は、後で詳しく説明する利用者（例えば、高齢者）のマイレージカードに関するデータが記憶管理されている。健康管理データベース４は、利用者の基本情報、例えば氏名，年齢，性別，住所，連絡先，健康保健の種類，年金の種類，健康受診状況，かかりつけ医等に関する情報が記憶されている。
【００１４】
マイレージポイント還元センタのデータベース５は、同じく後で詳しく説明するマイレージカードに関するデータに基づいてマイレージポイントを処理管理して、所定の情報を必要に応じて利用者に通知する。
【００１５】
厚生施設Ａは、例えば公民館，コミュニティーセンタ，保健センタ，文化センタが該当する。各厚生施設Ａには、利用者が使用するマイレージ端末機ａが設置されている。マイレージポイント協賛店Ｂ（以下、協賛店Ｂと略記する）は、例えば温泉施設，デパート等の商品販売店，理髪店，スポーツクラブ，ゴルフ場が該当する。同様に、各マイレージポイント協賛店Ｂには、マイレージ端末機ｂが設置されている。
【００１６】
なお、利用者が使用するマイレージカードは、本人を確認するための公知のバーコードを印刷したカード, ＩＣカードや磁気ストライプを内蔵したカードが使用できる。これらのカードは、本人が確認できるように本考案の戸外活動支援通信設備に対して事前に登録しておく必要がある。
【００１７】
以下で、利用者が戸外活動に参加してからポイントを還元してもらうまでの過程を詳しく説明する。
【００１８】
（１）その利用者に固有のマイレージカードを携行した利用者が、希望の戸外活動を提供する厚生施設Ａ又は協賛店Ｂのその戸外活動に固有のマイレージ端末装置ａ又はｂにマイレージカードを差し込む。この時その利用者が実際に当該カードを差し込んだことを確認するため、当該施設又は協賛店の従業者が、当該カードの差し込みの事実を監視していてもよい。
【００１９】
表１に、戸外活動の具体的な例及び後で説明するこれらの戸外活動に相当するポイントを列挙する。
【００２０】
表１
┌─────────┬────────────┐                                │活動内容          │１時間当たりのポイント数│                                ├─────────┼────────────┤                                │スポーツ          │      ５ポイント        │                                ├─────────┼────────────┤                                │室内遊戯          │      ５ポイント        │                                ├─────────┼────────────┤                                │サークル活動      │      ４ポイント        │                                ├─────────┼────────────┤                                │講習会            │      ４ポイント        │                                ├─────────┼────────────┤                                │健康づくりイベント│      ２ポイント        │                                ├─────────┼────────────┤                                │協賛店へ来店      │      １ポイント        │                                └─────────┴────────────┘                                  なお、スポーツとして例えば、ゲートボール，ゴルフ，スキーが挙げられる。室内遊戯として例えば、囲碁，将棋，麻雀が挙げられる。サークル活動として例えば、コーラス，舞踊，生け花，茶道が挙げられる。講習会として、例えばパソコン教室が挙げられる。健康づくりイベントとして、例えば温泉利用，健診が挙げられる。協賛店へ来店の例として、例えばレストラン，理髪店，クリーニング，公衆浴場，飲食店が挙げられる。
【００２１】
また、ポイント数は、活動内容に応じて増減するほかに年齢の区分に応じて増減してもよい。例えば、８０歳以上９０歳未満の利用者のポイント数を７０歳以上〜８０歳未満の利用者のポイント数の１．５倍とか２倍等にするといったように、利用者の年代別にポイントを調整することも可能である。
【００２２】
（２）そのマイレージカードが、マイレージ端末機ａ又はｂに差し込まれると、このマイレージ端末機ａ又はｂが、そのマイレージカードの差込みの日時、すなわち利用者の戸外活動の開始日時を記録する。
【００２３】
（３）そのマイレージカードが、マイレージ端末機ａ又はｂに再び差し込まれると、このマイレージ端末機ａ又はｂが、そのマイレージカードの差込み日時、すなわち利用者の戸外活動の終了日時を記録する。
【００２４】
（４）このマイレージ端末機ａ又はｂが、この開始日時とこの終了日時とから算出された利用者の戸外活動期間に相当するポイント数を通信回線１を介して管理センタ２のマイレージデータベース３及び健康管理データベース４並びに／又はマイレージポイント還元センタ５に送信する。
【００２５】
（５）管理センタ２のマイレージデータベース３及び健康管理データベース４は、このポイント数をマイレージポイント還元センタのデータベース５に送信する。
【００２６】
（６）マイレージポイント還元センタのデータベース５は、このポイント数を記憶管理し、例えば月ごとにポイント数と累積のポイント数を利用者に通知して還元する。すなわち、累積したポイントのこの通知及び還元は、その利用者がそのマイレージカードをマイレージ端末機ａ又はｂに後に差し込んだ時に通信回線１を介してそのマイレージカード及び／又はこのマイレージ端末機ａ又はｂに表示され記録されることによって実施される。その利用者が、上記ポイント数に応じて招待券，優待券，割引券やバッグ，ラジオ，デジカメのような物品等を購入すると、その後の残りのポイント数が、マイレージ端末機ａ又はｂによって記憶管理される。
【００２７】
（７）この残りのポイント数は、マイレージ端末機ａ又はｂから通信回線１を介してマイレージポイント還元センタのデータベース５に送信され、その結果がマイレージポイント還元センタのデータベース５で記憶管理される。
【００２８】
ここの説明では、東京都が戸外活動支援通信設備を管理して、各地区（例えば、各区や市）に本通信設備をリンクさせているが、例えば全国を管理するセンタが、本通信設備を管理して、各都道府県に本通信設備をリンクさせることもできる。これにより、都道府県内又は全国共通のポイント利用も可能となる。
【００２９】
以上で説明した実施の形態の通信設備及び過程は、１つの例にすぎず、マイレージポイントを処理して利用者に還元できる構成であれば、任意の公知技術を利用することが可能である。
【００３０】
図２は、各厚生施設及び／又はマイレージポイント協賛店に固有の本考案のマイレージ端末機の構成の一例を示す。このマイレージ端末機は、通信回線１に接続されているパーソナルコンピュータ６並びにこのパーソナルコンピュータ６に接続されているマイレージカード読取器７，生体認証装置８及びタッチパネル９から構成される。
【００３１】
特定の戸外活動に参加しようとする利用者が、その利用者に固有のマイレージカードをマイレージカード読取器７に差し込むと、その利用者の身元が確認される。当該身元確認をより確実にするため、同時にその利用者の例えば事前に登録してある指紋を認証する生体認証装置によって身元確認を実施してもよいし又はこれに加えて若しくはこの代わりに事前に登録してあるパスワードをタッチパネルに入力してもよい。その利用者の身元が確認されると、タッチパネル９が応答し、その利用者がその表示の指示にしたがって入力すれば、ポイントの管理が確実に処理される。
【産業上の利用可能性】
【００３２】
本考案の戸外活動支援通信設備のマイレージ端末装置は、病気や事故後の患者のリハビリテーションに対しても使用できる。
【符号の説明】
【００３３】
１  通信回線（インターネット）
２  管理センタ
３  マイレージデータベース
４  健康管理データベース
５  マイレージポイント還元センタのデータベース
ａ  マイレージ端末機
Ａ  厚生施設
ｂ  マイレージ端末機
Ｂ  マイレージポイント協賛店
６  パーソナルコンピュータ
７  マイレージカード読取器
８  生体認証装置
９  タッチパネル
【図１】
0003151065.tif 000003
【図２】
0003151065.tif 000004